(57)【要約】      （修正有）【課題】筆記面が毛筆の筆先の筆記面を模倣して、中、日、韓の文字の筆記に適した硬筆ペン先を提供する。【解決手段】中、日、韓の文字の筆記およびその書道に適した硬筆ペン先であって、一般の硬筆（ボールペンを除く）のペン先の筆記面を扇形平面に設計し、扇形円心角が３７゜であり、扇形平面と扇形円心角の二等分線と、ペン先軸線との夾角が５０゜±５゜であることを特徴とする。【選択図】図２
0003132388.tif 000002
【実用新案登録請求の範囲】
【請求項１】
中、日、韓の文字の筆記とその書道に適した硬筆ペン先であって、一般の硬筆（ボールペンを除く）のペン先の筆記面を扇形平面に設計し、扇形円心角が３７゜であり、扇形平面と扇形円心角の二等分線とペン先の軸線との夾角が５０゜±５゜であることを特徴とする硬筆ペン先。
【請求項２】
扇形平面が円心角の二等分線の中点を円心として時計回りで９０゜回転すると、当該ペン先が左手筆記に適合することを特徴とする請求項１に記載の硬筆ペン先。
【考案の詳細な説明】
【技術分野】
【０００１】
本考案は、筆記用ペン、とくに硬筆ペン先に関わる。
【背景技術】
【０００２】
現在人々が一般に使用している万年筆、ボールペン、鉛筆は、１９世紀末から２０世紀初めにかけて西側諸国から伝わったものであり、その携帯、使用し易さ、筆記が速いことから毛筆にとって代わり、現在の主要筆記用具となった。この種のペンのペン先の筆記面は通常球面であり、書いた筆跡は点の軌跡、即ち簡単な線の組合せであり、このようなペン先は表音文字を書くのには比較的適しているが、毛筆で書くのに適した漢字を表現するのは難しい。なぜならば、毛筆の筆先は、軟らかい円錐形で、自然な筆鋒があり、筆記するときに筆先の上下（起落）と筆鋒の回転により、筆記面がさまざまに変化する水滴形状面になり、書かれた筆跡は変化に富んだ線の組合せだからである。また、毛筆で書いた字は、「書く」と同時に「描く」という要素もあり、そのために、一般の硬筆で漢字をきれいに書くのは確かに容易ではない。
【０００３】
近年の硬筆ペン先に対する改良には主に２種類あり、１つは万年筆のペン先の前部を上に一定角度折り曲げることであり、もう１種類は万年筆のペン先の前部を上に一定弧度湾曲させることである。この２種類の方式は、いずれも筆記するときにペン先が紙に接触する角度を制御することにより、ペン先と紙の接触面の大きさを変え、それによって書かれる筆跡に太さの変化をつけるものである。また、ペン先と紙の接触面が大きくなるにつれて、筆記面が丸い点から二等辺三角形に変わり、この二等辺三角形の頂角が筆鋒を形成する。この２種類のペン先には不十分な点が３つある。第１は、二等辺三角形の筆記面の頂角が通常約２０゜であるために、２つの底角が効果的に筆鋒を形成できず、頂角で形成された筆鋒しか使用できず、「側鋒行筆」（筆記するときに筆鋒が偏る）の欠点が多くなり、毛筆の筆記は「中鋒行筆」（筆記するときに筆鋒を筆画の真ん中にもっていく）を主とするという基本規則に合わないという点である。第２は、二等辺三角形の筆記面には、毛筆の水滴形状の筆記面の弧線がなく、点、曲がり・跳ね、左払い、右払いなどの筆画の曲線を書く時に生硬な感じになるという点である。第３は、筆記するときに絶えずペン先と紙の接触角度を変えたり、ペン先を回転させたりしなければならないため、一般の筆記者がマスターしにくく、書く速度にも影響するという点である。
【考案の開示】
【考案が解決しようとする課題】
【０００４】
本考案は、筆記面が毛筆の筆先の筆記面を模倣して、中、日、韓の文字の筆記に適した硬筆ペン先を提供する。
【課題を解決するための手段】
【０００５】
本考案で採用する技術方案は、一般の硬筆（ボールペンを除く）のペン先の筆記面を扇形平面に設計し、扇形円心角が３７゜（図１参照）であり、扇形平面と扇形円心角の二等分線１とペン先２の軸線３との夾角が５０゜±５゜（図２を参照）であるというものである。扇形平面が円心角の二等分線の中点４（図２参照）を円心として時計回りで９０゜回転すると、当該ペン先が左手の筆記に適合するようになる。
【０００６】
本考案で採用する技術方案には、以下の特徴がある。第１には、本考案の扇形筆記面には、扇形円心角５、扇形の半径と弧による２つの夾角６および７（図１を参照）の３つの先端があり、扇形円心角は書くときに自然と筆鋒８（図３を参照）を形成し、扇形の半径と弧による２つの夾角も、円心角が３７゜という合理的な角度にあるため、書くときに２つの有効な筆鋒９および１０（図３を参照）を形成し、ペン先を大きく回転させなくても、それぞれの方向に筆鋒を生じさせ、かつ「中鋒行筆」を実現できることである。そのうち、先端５が起筆および必要に応じて「側鋒行筆」を担当し、先端６が下および左下方向の「中鋒行筆」を受け持ち、先端７が右および右下方向の「中鋒行筆」を受け持つ（図３参照）。その原理は、筆記者が本考案を使って筆記するときに前腕とペン先の筆記面の扇形投影１１の角の二等分線１２を同一直線上に位置させ、かつ筆記者の体と４５゜角を成すようにし、このとき「横」画と「縦」画が等幅であると仮定し、さらに扇形投影の円心角を∠８に設定すると、図３中の「縦」画の中の扇形投影の半径と「縦」画左辺線との夾角および「横」画の中の扇形投影の半径と「横」画上辺線との夾角が（４５゜−１／２×∠８）になり、ｔａｎ（４５゜−１／２×∠８）＝１／２、即ち図３中の筆鋒９と１０がそれぞれ筆画１４と１５の中間にあるとき、扇形投影の円心角∠８は３６．８゜に等しく、また本考案の扇形筆記面の円心角が３６．８゜で、約３７゜になるということである。第２には、本考案のペン先２の軸線３と扇形筆記面との夾角は５０゜±５゜である。それは、硬筆を使って書くとき、即ち筆軸（ペン軸、筆管）を親指と人差し指の間のくぼみで握ったときに筆軸と被筆記面が自然とある角度を形成し、これはペン握り角度とも呼ばれるが、この角度が通常約５０゜であるためであり、したがって本考案のペン先軸線と筆軸の軸線が平行または重なったとき、ペン先２の軸線３と被筆記面および扇形筆記面との夾角が約５０゜であり、具体的には５０゜±５゜の設計となっている。ペン先２の軸線３と扇形筆記面の円心角の二等分線１との夾角も50゜±５゜のとき、即ちペン先２の軸線３の扇形筆記面における投影と扇形筆記面の円心角の二等分線が重なり合い、かつ扇形筆記面の円心角がペン先２の頂部に位置し（図２参照）、このときに右手で起筆して書く場合、筆鋒８は自然と文字の左上から始まり、ちょうど中、日、韓の文字が一般に左上から起筆し、左から右に筆記する法則に適合している（図３を参照）。もしもさらに扇形筆記面をその円心角の二等分線１の中点４を円心として時計回りで９０゜回転させたならば、書くときにペン先が右手からペン先２の頂部を円心として時計回りで９０゜回転して左手に到り（上から見て）、筆記面が同時に逆時計回りで９０゜回転する（上から見て）のに相当し、これにより左手の筆記で右手の筆記と同様の効果が得られ、即ち左手の筆記に適合している。第４には、本考案の扇形筆記面の弧は、筆記するときに点、曲がり・跳ね、左払い、右払いなどの筆画の曲線を形成するのに役立つ。第５には、本考案を使用すると、毛筆の殆どの筆記技法を採用して、毛筆の自然な書法効果を発揮することができる。第６には、本考案は一般の硬筆の筆記時の着色方式を変えないため、万年筆のペン先、フェルトペンのペン先、微孔プラスチック筆ペンのペン先、シャープペンシルのペン先、チョークの先などボールペンを除く各種硬筆のペン先に適用できる。第７には、本考案を使用するとき、ペン先と紙の接触角度を大幅に変える必要がなく、筆記速度に影響しない。
【０００７】
本考案は中、日、韓の文字の日常の筆記に適しており、その書道創作にも適している。
【考案を実施するための最良の形態】
【０００８】
本考案を使用するとき、筆記者が前腕とペン先の筆記面の扇形投影１１の角の二等分線１２を同一直線上に位置させ、かつ筆記者の体と４５゜の角度を成すようにする（図３参照）ことを推奨する。この角度で筆記すると本実用新案の機能が最も容易に実現できる。また、この角度で筆記すると、手の指でペン先を動かすときに、手首からの抵抗が最小となり、筆記速度が最も速い。筆記者がすでに他の角度を習慣にしている場合は、本考案を使用するときに、手首を回し、ペン先を前腕と一定の角度に保ち、本考案の筆記面の扇形投影の角の二等分線と体を４５゜の角度にするだけでよい。
【０００９】
図３に示すように、本考案の筆記面が筆記時に形成する扇形投影の角の二等分線が筆記者の体１３と４５゜の角度を成すとき、筆記者が「縦」画１４と「横」画１５を書くときにペン先を回転させる必要がなく、下方向と右方向にペン先を動かすだけで、筆鋒９と１０をそれぞれ筆画の真ん中に位置させることができる。その他の筆画の筆記もペン先をわずかに回転させるだけで、上記の効果が得られる。
【図面の簡単な説明】
【００１０】
【図１】本考案の筆記面の正面図である。
【図２】本考案の側面図である。
【図３】本考案を使用した時の筆記面の被筆記面上における扇形投影およびその「中鋒行筆」の概略図である。
【符号の説明】
【００１１】
１  扇形平面と扇形円心角の二等分線
２  ペン先
３  軸線
４  円心角の二等分線の中点
５  扇形円心角
６  扇形の半径と弧による夾角
７  扇形の半径と弧による夾角
８  筆鋒
９  筆鋒
１０  筆鋒
１１  ペン先の筆記面の扇形投影
１２  前腕とペン先の筆記面の扇形投影の角の二等分線
１３  筆記者の体
１４  筆画
１５  筆画 
【図１】
0003132388.tif 000003
【図２】
0003132388.tif 000004
【図３】
0003132388.tif 000005